(57)【要約】【課題】地震等の振動による衝撃を吸収することができる電気機器を提供する。【解決手段】照明装置は、照明装置本体９０、第１吊下げ部としての天井面に固定される取付金具１０及びパイプ固定金具４０、第２吊下げ部としてのパイプ５０、連結部の軸部材としてのボルト６０、ボルト６０の移動を規制するとともに、パイプ固定金具４０、ボルト６０及びパイプ５０等を覆う覆部材としての上側カバー２０、下側カバー３０などを備える。パイプ固定金具４０は、略Ｕ字状をなし、対向する弾性板を有する。弾性板及びパイプ５０の端部には、ボルト６０を挿通させるための軸孔を形成してある。これにより、ボルト６０の軸回りにパイプ固定金具４０に対してパイプ５０を回動させることができる。【選択図】図２
2013114928.tif 000002
【特許請求の範囲】
【請求項１】
電気機器本体を備え、取付面から吊り下げて該電気機器本体を取り付ける電気機器において、
前記取付面に固定される第１吊下げ部と、
前記電気機器本体に固定される第２吊下げ部と、
前記第１吊下げ部と第２吊下げ部とを軸回りに相対的に回動可能に連結する連結部と
を備え、
前記第１又は第２吊下げ部は、
前記軸方向に対して弾性を有することを特徴とする電気機器。
【請求項２】
前記第１吊下げ部は、
前記取付面に固定される固定部と、
該固定部に当接する当接部と、
該当接部に連設され、前記第２吊下げ部と前記連結部にて連結される支持部と
を備え、
前記固定部は、
前記支持部が挿通される挿通部を備えることを特徴とする請求項１に記載の電気機器。
【請求項３】
前記第１及び第２吊下げ部の一方の吊下げ部は、
他方の吊下げ部の一部を間にして対向した対向部を備え、
前記一方の吊下げ部の前記対向部及び他方の吊下げ部の前記一部それぞれに軸孔を形成してあり、
前記連結部は、
前記軸孔に挿通する軸部材を備え、
前記一方の吊下げ部の前記対向部と前記他方の吊下げ部の前記一部との間に前記軸方向に沿って隙間を設けてあることを特徴とする請求項１又は請求項２に記載の電気機器。
【請求項４】
前記固定部は、
前記対向させた前記支持部を挿通させる挿通部を離隔して形成してあり、
前記第１吊下げ部の前記当接部は、
前記支持部を繋ぎ前記固定部に当接するようにしてあり、
前記固定部を取付面に固定した状態で、該固定部の上側から前記支持部を前記挿通部に挿通させて該支持部を前記固定部から垂下させ、
前記当接部を前記固定部の上側に当接させて固定してあることを特徴とする請求項２に記載の電気機器。
【請求項５】
前記当接部を前記固定部に固定する固定部材を備えることを特徴とする請求項２又は請求項４に記載の電気機器。
【請求項６】
前記軸部材の軸方向の移動を規制し、前記連結部を覆う覆部材を備えることを特徴とする請求項３に記載の電気機器。
【発明の詳細な説明】
【技術分野】
【０００１】
本発明は、電気機器本体を備え、取付面から吊り下げて電気機器本体を取り付ける電気機器に関し、特に、天井等から吊り下げられる照明装置に関する。
【背景技術】
【０００２】
倉庫、体育館、工場、駅など様々な施設において、比較的天井が高い場所に照明器具等の電気機器を取り付ける場合、天井に吊り下げ用のパイプを取り付け、照明器具等を天井からパイプで吊り下げている。
【０００３】
このようなパイプで吊下げるタイプの照明器具等では、照明器具がパイプを軸として回転することで締め付けナットの緩みが発生するおそれがある。そこで、吊下げパイプの下端部に形成した雄ねじ部と座板との間に回転阻止材を設け、座板と器具取付部との間にも回転阻止材を設けることにより、器具本体の回転を阻止してナットの緩みを防止することができる吊下げ形照明器具が開示されている（特許文献１参照）。
【先行技術文献】
【特許文献】
【０００４】
【特許文献１】特開平８−６４０２３号公報
【発明の概要】
【発明が解決しようとする課題】
【０００５】
しかし、特許文献１の照明器具にあっては、１本の吊下げパイプに照明器具を強固に締結することができるものの、照明器具を強固に固定しているため、例えば地震により建物が揺れた場合、地震による衝撃を吸収することができず、照明器具が破損してしまう危険性がある。特に、１本の吊下げパイプで吊下げられた照明器具の重量が比較的重い場合には、パイプの長さ及び照明器具の重量に応じた衝撃が加わり、破損した照明器具の落下の危険性が一層高まる。
【０００６】
本発明は斯かる事情に鑑みてなされたものであり、地震等の振動による衝撃を吸収することができる電気機器を提供することを目的とする。
【課題を解決するための手段】
【０００７】
本発明に係る電気機器は、電気機器本体を備え、取付面から吊り下げて該電気機器本体を取り付ける電気機器において、前記取付面に固定される第１吊下げ部と、前記電気機器本体に固定される第２吊下げ部と、前記第１吊下げ部と第２吊下げ部とを軸回りに相対的に回動可能に連結する連結部とを備え、前記第１又は第２吊下げ部は、前記軸方向に対して弾性を有することを特徴とする。
【０００８】
本発明にあっては、取付面に固定される第１吊下げ部と、電気機器本体に固定される第２吊下げ部と、第１吊下げ部と第２吊下げ部とを軸回りに相対的に回動可能に連結する連結部とを備える。取付面は、例えば、天井面、壁面などである。電気機器は、例えば、照明装置であるが、これに限定されるものではない。天井等の取付面に第１吊下げ部が固定され、取付面から吊り下げられた第１吊下げ部の下端側には連結部を設け、当該連結部には第２吊下げ部の上端側が連結されており、第２吊下げ部の下端側には電気機器本体が固定されている。そして、第１吊下げ部又は第２吊下げ部は、当該軸方向に対して弾性を有する。
【０００９】
上述の構成により、例えば、地震が発生した場合、当該軸に直交する横向き（例えば、Ｘ軸方向）に作用する衝撃に対しては、第１吊下げ部に対して第２吊下げ部が連結部の軸回りに回動することにより衝撃を吸収することができる。また、当該軸方向に沿って横向き（例えば、Ｙ軸方向）に作用する衝撃に対しては、第１吊下げ部又は第２吊下げ部が有する弾性により第１吊下げ部又は第２吊下げ部が当該軸方向に湾曲（弾性変形）することにより衝撃を吸収することができる。すなわち、地震等の振動により揺れが発生した場合でも、Ｘ軸方向及びＹ軸方向のいずれの方向の衝撃も吸収することができ、地震等の振動による衝撃を吸収することができる。
【００１０】
本発明に係る電気機器は、前記第１吊下げ部は、前記取付面に固定される固定部と、該固定部に当接する当接部と、該当接部に連設され、前記第２吊下げ部と前記連結部にて連結される支持部とを備え、前記固定部は、前記支持部が挿通される挿通部を備えることを特徴とする。
【００１１】
本発明にあっては、第１吊下げ部は、取付面に固定される固定部と、当該固定部に当接する当接部と、当該当接部に連設され、第２吊下げ部と連結部にて連結される支持部とを備える。固定部の挿通部に支持部を挿通させることで、固定部に当接部を当接させることにより、取付面に電気機器を固定することができる。
【００１２】
本発明に係る電気機器は、前記第１及び第２吊下げ部の一方の吊下げ部は、他方の吊下げ部の一部を間にして対向した対向部を備え、前記一方の吊下げ部の前記対向部及び他方の吊下げ部の前記一部それぞれに軸孔を形成してあり、前記連結部は、前記軸孔に挿通する軸部材を備え、前記一方の吊下げ部の前記対向部と前記他方の吊下げ部の前記一部との間に前記軸方向に沿って隙間を設けてあることを特徴とする。
【００１３】
本発明にあっては、第１及び第２吊下げ部の一方の吊下げ部は、他方の吊下げ部の一部（例えば、端部）を間にして対向した対向部を備え、一方の吊下げ部の対向部及び他方の吊下げ部の一部（例えば、端部）それぞれに軸孔を形成してある。そして、連結部は、軸孔に挿通する軸部材を備える。すなわち、一方の吊下げ部の対向部及び他方の吊下げ部の一部に形成された軸孔に軸部材を挿通してある。これにより、軸回りに第１及び第２吊下げ部を回動させることができる。さらに、一方の吊下げ部の対向部と他方の吊下げ部の一部との間に軸方向に沿って隙間を設けることにより、他方の吊下げ部の一部は、対向部に当接して移動が規制されるまで軸方向に沿って移動することができるので、軸方向に作用する衝撃をさらに吸収することが可能となる。
【００１４】
本発明に係る電気機器は、前記固定部は、前記対向させた前記支持部を挿通させる挿通部を離隔して形成してあり、前記第１吊下げ部の前記当接部は、前記支持部を繋ぎ前記固定部に当接するようにしてあり、前記固定部を取付面に固定した状態で、該固定部の上側から前記支持部を前記挿通部に挿通させて該支持部を前記固定部から垂下させ、前記当接部を前記固定部の上側に当接させて固定してあることを特徴とする。
【００１５】
本発明にあっては、固定部は、対向させた支持部を挿通させる挿通部を離隔して形成してある。第１吊下げ部の当接部は、支持部を繋ぎ固定部に当接するようにしてある。固定部を取付面に固定した状態で、固定部の上側から支持部を挿通部に挿通させて支持部を固定部から垂下させ、当接部を固定部の上側に当接させて固定してある。すなわち、対向する２つの支持部と、支持部を繋ぐ当接部とは、Ｕ字状をなす。第１吊下げ部の２つの支持部を固定部の２つの挿通部に挿通させ、当接部を固定部の上側から固定部に当接させるとともに、支持部を固定部から垂下させる。これにより、第１吊下げ部の当接部は、固定部の上側で固定されるので、固定部から落下することはなく、地震等の振動による縦方向の衝撃に対して強度を持たせることができる。
【００１６】
本発明に係る電気機器は、前記当接部を前記固定部に固定する固定部材を備えることを特徴とする。
【００１７】
本発明にあっては、当接部を固定部に固定する固定部材を備える。固定部材は、例えば、ボルト、ねじ、リベット等である。これにより、当接部を固定部にさらに強固に固定することができるので、地震等の振動による縦方向の衝撃に対してさらに剛性を高めることができる。
【００１８】
本発明に係る電気機器は、前記軸部材の軸方向の移動を規制し、前記連結部を覆う覆部材を備えることを特徴とする。
【００１９】
本発明にあっては、軸部材の軸方向の移動を規制し、連結部を覆う覆部材を備える。覆部材を備えることにより、軸部材の軸方向の移動を規制して、軸部材が一方の吊下げ部の対向部及び他方の吊下げ部の端部から外れることを防止することができる。
【発明の効果】
【００２０】
本発明によれば、地震等の振動による衝撃を吸収することができる。
【図面の簡単な説明】
【００２１】
【図１】実施の形態１の照明装置の構成の一例を示す外観斜視図である。
【図２】実施の形態１の照明装置の取付部の要部外観斜視図である。
【図３】取付金具の一例を示す平面図である。
【図４】パイプ固定金具を取付金具に取り付けた状態を示す外観斜視図である。
【図５】実施の形態１の照明装置のボルトの軸に直交する面での要部断面図である。
【図６】実施の形態１の照明装置のボルトの軸方向の面での要部断面図である。
【図７】実施の形態２の照明装置の取付部の一例を示す模式図である。
【図８】実施の形態３の照明装置の取付部の一例を示す模式図である。
【発明を実施するための形態】
【００２２】
（実施の形態１）
以下、本発明に係る電気機器をその実施の形態を示す図面に基づいて説明する。なお、以下では、電気機器の一例として照明装置について説明するが、電気機器は照明装置に限定されるものではなく、天井又は壁などから吊り下げて使用するものであれば、空調設備、その他の設備などの他の電気機器であってもよい。
【００２３】
図１は実施の形態１の照明装置１００の構成の一例を示す外観斜視図であり、図２は実施の形態１の照明装置１００の取付部の要部外観斜視図である。図１及び図２に示すように、照明装置１００は、電気機器本体としての照明装置本体９０、第１吊下げ部としての取付面としての天井面に固定される固定部としての取付金具１０及びパイプ固定金具４０、第２吊下げ部としてのパイプ５０、連結部の軸部材としてのボルト６０、ボルト６０の移動を規制するとともに、パイプ固定金具４０、ボルト６０及びパイプ５０等を覆う覆部材としての上側カバー２０、下側カバー３０などを備える。
【００２４】
照明装置本体９０は、例えば、高さ寸法が９０ｃｍ程度あり、内部に光源としてのＬＥＤモジュール、ＬＥＤモジュールを駆動する電源部（いずれも不図示）などを備える。照明装置本体９０は、比較的重量が重い。なお、光源はＬＥＤモジュールに限定されるものではなく、ハロゲンランプ等の他の光源でもよい。
【００２５】
図３は取付金具１０の一例を示す平面図であり、図４はパイプ固定金具４０を取付金具１０に取り付けた状態を示す外観斜視図である。図３に示すように、取付金具１０は、鉄製であって、平面視が円状をなし、中央に取付孔１２を形成してあり、取付孔１２を囲むように周方向に沿って４つの取付孔１３を形成してある。取付孔１２、あるいは取付孔１３にボルト（不図示）を挿通させ、天井に設けられた固定具（不図示）に締結することにより、取付金具１０を天井面に固定することができる。
【００２６】
取付金具１０には、取付孔１２を間にして対向させた挿通部としての挿通孔１１を形成してある。一方の挿通孔１１は、後述の支持部としての弾性板４２を挿通することができる程度の長さ及び幅を有する矩形状をなす。他方の挿通孔１１は、弾性板４２及び弾性板４２に設けられたナット部４５を挿通することができる程度の長さ及び幅を有し、凸状の形状をなす。なお、挿通部としては、挿通孔に代えて、切欠等であってもよい。
【００２７】
また、取付金具１０には、照明装置本体９０への配線を挿通させるための配線孔１４を形成してある。また、取付金具１０には、上側カバー２０を固定するためのネジ部１５を設けてある。
【００２８】
図４に示すように、パイプ固定金具４０は、鉄製であって、正面から見て略Ｕ字状（コの字状）をなす。パイプ固定金具４０は、取付状態において、取付金具１０の上側表面に当接する当接部としての矩形状の当接板４１、当接板４１の両端部から略９０度屈曲して延設されお互いに対向する対向部及び支持部としての弾性板４２、４２等で構成される。なお、当接板４１、弾性板４２の板厚は、例えば、１．２ｍｍであるが、これに限定されるものではない。また、当接部は、板状の当接板に限定されるものではなく、取付金具１０の上側表面に当接することができる形状であれば、他の構造でもよい。
【００２９】
各弾性板４２は、板厚の方向に作用する力に対して弾性を有し、板厚方向に湾曲（弾性変形）することができる。各弾性板４２には、軸部材としてのボルト６０が挿通される軸孔４３を形成してあり、一方の弾性板４２には、ボルト６０を締結するため内側に雌ねじが螺刻されたナット部４５を設けてある。
【００３０】
上述のように、取付金具１０は、対向させた弾性板４２を挿通させる挿通孔１１を離隔して形成してある。そして、パイプ固定金具４０は、対向する弾性板４２、弾性板４２を繋ぎ取付金具１０に当接する当接板４１を備える。取付金具１０を天井面に固定した状態で、取付金具１０の上側から弾性板４２を挿通孔１１に挿通させて弾性板４２を取付金具１０から垂下させ、当接板４１を取付金具１０の上側に当接させて固定してある。
【００３１】
また、当接板４１を取付金具１０に固定する固定部材としてのねじ４４を備える。なお、当接板４１を取付金具１０に固定する固定部材としては、ねじ４４に代えて、例えば、ボルト、リベット等であってもよい。
【００３２】
図２及び図４に示すように、パイプ固定金具４０の対向する弾性板４２に形成された軸孔４３、及びパイプ５０の上側端部に形成された後述の軸孔５１にボルト６０を挿通させるとともに、ボルト６０をナット部４５で締結することにより、パイプ５０は、パイプ固定金具４０に対して、ボルト６０の軸回りに回動可能に連結される。すなわち、ボルト６０、ナット部４５は、パイプ固定金具４０及びパイプ５０同士を軸回りに相対的に回動可能に連結する連結部として機能する。また、パイプ５０の下端側は照明装置本体９０に固定されている。
【００３３】
また、図２に示すように、上側カバー２０は、略円筒状をなし、上側より下側に向かって縮径してある。上側カバー２０の上端部には、取付孔２１を形成してあり、取付金具１０のネジ部１５を取付孔２１に挿通させて締め付けることにより、上側カバー２０を取付金具１０に固定することができる。
【００３４】
下側カバー３０の上部は、上側カバー２０の下部内側に配置され、下側カバー３０の下部は上側カバー２０から露出する。下側カバー３０の下端は、照明装置本体９０に当接することにより、下方への移動を規制される。また、下側カバー３０の上部外面は、上側カバー２０の下部内面と同様の湾曲面をなし、下側カバー３０の上部外面は、上側カバー２０の下部内面との間で摺動可能にしてある。
【００３５】
次に、本実施の形態の照明装置１００が地震等による衝撃をどのように吸収するかについて説明する。図５は実施の形態１の照明装置１００のボルト６０の軸に直交する面での要部断面図であり、図６は実施の形態１の照明装置１００のボルト６０の軸方向の面での要部断面図である。
【００３６】
図５及び図６に示すように、本実施の形態の照明装置１００は、天井面等の取付面に固定される取付金具１０及びパイプ固定金具４０（第１吊下げ部）、照明装置本体９０に固定されるパイプ５０（第２吊下げ部）、パイプ固定金具４０とパイプ５０とを軸回りに相対的に回動可能に連結するボルト６０（連結部）などを備える。そして、パイプ固定金具４０の弾性板４２は、ボルト６０の軸方向、すなわち、弾性板４２の板厚方向に作用する力（衝撃）に対して弾性を有する。
【００３７】
上述の構成により、例えば、地震が発生した場合、ボルト６０の軸に直交する横向き（例えば、Ｘ軸方向）に作用する衝撃に対しては、図５に示すように、パイプ固定金具４０（弾性板４２）に対してパイプ５０が連結部としてのボルト６０の軸回り（図５の符号Ａで示す方向）に回動することにより衝撃を吸収することができる。
【００３８】
また、取付金具１０に固定された上側カバー２０の下側内周面と、上側カバー２０の内側と照明装置本体９０との間に遊嵌された下側カバー３０の上側該周面とは、摺動面７０を介して自由に摺動することができる。これにより、上側カバー２０と下側カバー３０とが、符号Ａで示す方向の回動動作を規制することはない。
【００３９】
また、ボルト６０の軸方向に沿って横向き（例えば、Ｙ軸方向）に作用する衝撃に対しては、図６に示すように、パイプ固定金具４０の弾性板４２が有する弾性により弾性板４２がボルト６０の軸方向（図６の符号Ｂで示す方向）に湾曲（弾性変形）することにより衝撃を吸収することができる。すなわち、地震により揺れが発生した場合でも、Ｘ軸方向及びＹ軸方向のいずれの方向の衝撃も吸収することができ、地震等の振動による衝撃を吸収することができる。また、上側カバー２０と下側カバー３０とが、符号Ｂで示す方向の湾曲動作を規制することはない。
【００４０】
また、図４及び図６に示すように、パイプ固定金具４０は、第２吊下げ部としてのパイプ５０の一端としての端部を間にして対向した対向部としての弾性板４２、４２を備える。そして、弾性板４２、４２及びパイプ５０の端部には、ボルト６０を挿通させるための軸孔４３、軸孔５１を形成してある。これにより、ボルト６０の軸回りにパイプ固定金具４０に対してパイプ５０を回動させることができる。
【００４１】
また、図６に示すように、弾性板４２の内側面とパイプ５０の外周面との間にボルト６０の軸方向に沿って隙間ｄを設けてある。ボルト６０の軸方向に沿った隙間ｄを設けることにより、パイプ５０の端部は、弾性板４２に当接して移動が規制されるまで軸方向に沿って移動することができるので、軸方向に作用する衝撃をさらに吸収することが可能となる。
【００４２】
また、図３、図４及び図６に示すように、取付金具１０は、対向させた弾性板４２を挿通させる挿通孔１１を離隔して形成してある。そして、パイプ固定金具４０は、対向する弾性板４２、弾性板４２を繋ぎ取付金具１０に当接する当接板４１を備える。取付金具１０を天井面に固定した状態で、取付金具１０の上側から弾性板４２を挿通孔１１に挿通させて弾性板４２を取付金具１０から垂下させ、当接板４１を取付金具１０の上側に当接させて固定してある。これにより、パイプ固定金具４０の当接板４１は、取付金具１０の上側で固定されるので、取付金具１０から下方に落下することはなく、地震等の振動による縦方向の衝撃に対して強度を持たせることができる。
【００４３】
また、図４に示すように、パイプ固定金具４０の当接板４１は、ねじ４４により取付金具１０に固定されているので、当接板４１を取付金具１０にさらに強固に固定することができ、地震等の振動による縦方向の衝撃に対してさらに剛性を高めることができる。
【００４４】
また、図６に示すように、取付金具１０に固定された上側カバー２０は、ボルト６０を収容した態様をなし、仮にボルト６０が緩み軸方向に移動した場合でも、ボルト６０の頭部が上側カバー２０の内周面に当接してボルト６０の軸方向の移動を規制するので、ボルト６０が軸孔４３、５１（パイプ固定金具４０、パイプ５０）から抜け落ちることを防止する。これにより、照明装置本体９０が落下することを防止することができる。
【００４５】
次に、本実施の形態の照明装置１００の耐震性についての実験結果について説明する。長さ１０ｍ、幅５ｍ、高さ３ｍの鉄骨架台フレームを作成し、振動テーブル上に鉄骨架台フレームを載置して固定する。鉄骨フレームの天面に本実施の形態の照明装置１００を取り付ける。幅方向をＸ軸、長さ方向をＹ軸、高さ方向をＺ軸として、入力波形として、（１）Ｘ方向が３００ｇａｌ、Ｚ方向が１５０ｇａｌのエルセントロ波、（２）Ｘ方向が６００ｇａｌ、Ｚ方向が１５０ｇａｌのエルセントロ波、（３）Ｘ方向が１３００ｇａｌ、Ｙ方向が１９００ｇａｌのＨＡＧＡ波、それぞれを与えた。この結果、上述のいずれの入力波形に対しても、照明装置１００の落下、破損等の異常は発生せず、地震等の振動による衝撃を吸収して十分な耐震性を有することが確認された。
【００４６】
上述のとおり、本実施の形態の照明装置１００にあっては、地震等の振動による衝撃を吸収して免震性を有するとともに、天井面等の取付面に対して十分な取付強度を有するので、落下防止を実現することができる。
【００４７】
上述の実施の形態において、パイプ固定金具４０は、Ｕ字状をなし、対向する弾性板４２を挿通孔１１に挿通させて当接板４１を取付金具１０に当接させて固定する構成であったが、パイプ固定金具４０の構成は、これに限定されるものではない。
【００４８】
例えば、取付金具１０に挿通孔１１を形成せずに、Ｕ字状のパイプ固定金具４０の当接板４１を取付金具１０の下側に当接させ、ねじ等で固定することにより、取付金具１０を天井面に取り付けた状態でパイプ固定金具４０の弾性体４２を取付金具１０から垂下させるようにしてもよい。
【００４９】
また、パイプ固定金具４０をＵ字状ではなく、当接板と該当接板の端部から略９０度屈曲した弾性板を延設したＬ字状のパイプ固定金具を２つ用意し、それぞれのパイプ固定金具の弾性板を取付金具１０の挿通孔に挿通させて、取付金具１０を天井面に取り付けた状態でパイプ固定金具４０の弾性体４２を取付金具１０から垂下させるようにしてもよい。
【００５０】
また、取付金具１０とパイプ固定金具４０とを一体成形した構成とすることもできる。
【００５１】
（実施の形態２）
図７は実施の形態２の照明装置の取付部の一例を示す模式図である。実施の形態１では、第１吊下げ部の一部のパイプ固定金具４０の対向する弾性板４２が、第２吊下げ部としてのパイプ５０の端部を挟むようにして構成されていたが、かかる構成に限定されるものではない。実施の形態２では、図７に示すように、照明装置本体９０に固定されたパイプ１５０の上側端部が、略Ｕ字をなし、パイプ１５０が、パイプ固定金具４０の弾性板４２を挟むようにした対向部を有する。
【００５２】
そして、パイプ固定金具４０の端部（一端）に軸孔を形成し、第２吊下げ部としてのパイプ１５０の対向部に軸孔を形成してある。ボルト６０を軸孔に挿通して、ボルト６０でパイプ固定金具４０とパイプ１５０とが連結されている。上述の構成により、ボルト６０の軸回りにパイプ固定金具４０及びパイプ１５０を回動させることができる。
【００５３】
図７の構成では、パイプ固定金具４０は、対向する２つの弾性板４２を有する構成であるが、弾性板４２を１つだけ備える構成でもよい。この場合も、パイプ１５０が、パイプ固定金具４０の弾性板４２を挟むようにした対向部を有することになる。
【００５４】
（実施の形態３）
図８は実施の形態３の照明装置の取付部の一例を示す模式図である。実施の形態１、２では、第１吊下げ部の一部として弾性を有するパイプ固定金具４０を用い、第２吊下げ部としてパイプ５０、１５０を用いる構成であったが、これに限定されるものではなく、第２吊下げ部に弾性を有するパイプ固定金具を用いることもできる。
【００５５】
図８に示すように、実施の形態３では、天井などの取付面に固定される第１吊下げ部は、固定部としての取付金具１１０、支持部としてのパイプ１６０などを備え、パイプ１６０の上端側は、取付金具１１０に当接する当接部を構成している。これにより、第１吊下げ部の一部であるパイプ１６０を天井面に固定することができる。照明装置本体に固定される第２吊下げ部は、パイプ固定金具１４０、連結部としてのボルト６０などを備える。パイプ固定金具１４０の対向する弾性板１４２に形成された軸孔、及びパイプ１６０の下側端部に形成された軸孔にボルト６０を挿通させるとともに、ボルト６０をナット部で締結することにより、パイプ固定金具１４０は、パイプ１６０に対して、ボルト６０の軸回りに回動可能に連結される。
【００５６】
上述の構成により、例えば、地震が発生した場合、ボルト６０の軸に直交する横向き（例えば、Ｘ軸方向）に作用する衝撃に対しては、パイプ１６０に対してパイプ固定金具１４０がボルト６０の軸回りに回動することにより衝撃を吸収することができる。また、ボルト６０の軸方向に沿って横向き（例えば、Ｙ軸方向）に作用する衝撃に対しては、第２吊下げ部としてのパイプ固定金具１４０（弾性板１４２）が有する弾性によりパイプ固定金具１４０が当該軸方向に湾曲（弾性変形）することにより衝撃を吸収することができる。すなわち、地震により揺れが発生した場合でも、Ｘ軸方向及びＹ軸方向のいずれの方向の衝撃も吸収することができ、地震等の振動による衝撃を吸収することができる。
【符号の説明】
【００５７】
１０、１１０  取付金具（固定部）
１１  挿通孔（挿通部）
２０  上側カバー（覆部材）
３０  下側カバー
４０  パイプ固定金具（第１吊下げ部）
４１  当接板（当接部）
４２  弾性板（対向部、支持部）
４３  軸孔
４４  ねじ（固定部材）
５０、１５０  パイプ（第２吊下げ部）
５１  軸孔
６０  ボルト（連結部、軸部材）
９０  照明装置本体（電気機器本体）
１６０  パイプ（第１吊下げ部、支持部）
１４０  パイプ固定金具（第２吊下げ部）
【図１】
2013114928.tif 000003
【図２】
2013114928.tif 000004
【図３】
2013114928.tif 000005
【図４】
2013114928.tif 000006
【図５】
2013114928.tif 000007
【図６】
2013114928.tif 000008
【図７】
2013114928.tif 000009
【図８】
2013114928.tif 000010